(57)【要約】【課題】カバーを全体として薄型化することが可能な電子機器を提供する。【解決手段】電子機器は、発光部が設けられた筐体２と、筐体２に回動可能に組付けられたカバー３０とを備える。筐体２は、カバー３０の回動軸Ｏを規定する軸部２３ａを含み、カバー３０には、軸部２３ａを取り囲む軸受け孔３１が設けられる。第１カバー体３０Ａには、閉状態において発光部に対向する窓部が設けられ、第２カバー体３０Ｂは、窓部を覆うように第１カバー体３０Ａに積層される。カバー３０は、遮光性の第１カバー体３０Ａと、透光性の第２カバー体３０Ｂとを含む。軸受け孔３１は、第１カバー体３０Ａの一部と第２カバー体３０Ｂの一部とによって規定される。【選択図】図８
2019134079.tif 000002
【特許請求の範囲】
【請求項１】
外部に向けて発光部が露出するように設けられた筐体と、
前記筐体に回動可能に組付けられ、閉状態において前記発光部を含む部分の前記筐体を覆うとともに、開状態において前記発光部を含む部分の前記筐体を露出させるカバーとを備え、
前記筐体は、前記カバーの回動軸を規定する軸部を含み、
前記カバーには、前記軸部を取り囲む軸受け孔が設けられ、
前記回動軸は、前記カバーの厚み方向と直交する方向に沿って延びるように配置され、
前記カバーは、遮光性の第１カバー体と、透光性の第２カバー体とを含み、
前記第１カバー体には、前記閉状態において前記発光部に対向する部分に窓部が設けられ、
前記第２カバー体は、前記窓部を覆うように前記カバーの厚み方向に沿って前記第１カバー体に積層された状態で前記第１カバー体に組付けられ、
前記軸受け孔が、前記第１カバー体の一部と前記第２カバー体の一部とによって規定されている、電子機器。
【請求項２】
前記第１カバー体が、前記閉状態において前記第２カバー体よりも前記筐体側に位置している、請求項１に記載の電子機器。
【請求項３】
前記第１カバー体のうち、前記閉状態において前記筐体側に位置するうら面とは反対側に位置するおもて面に凹部が設けられ、
前記凹部を規定する部分の前記第１カバー体の壁面には、前記軸受け孔に通じる開口部が設けられ、
前記第２カバー体が、前記凹部に収容されることにより、前記開口部を覆うことで前記軸受け孔の一部を規定している、請求項２に記載の電子機器。
【請求項４】
前記カバーの回動範囲内のいずれの位置に当該カバーが配置された状態においても、前記軸部と、当該軸部に対向する部分の前記筐体の壁面とによって挟まれることにより、前記カバーが当該カバーの回動範囲内において脱落することを防止する抜け止め部が、前記軸部を取り囲むように延びる部分の前記第１カバー体によって構成されている、請求項１から３のいずれかに記載の電子機器。
【請求項５】
前記回動軸が延びる方向において前記抜け止め部に隣り合う部分の前記第１カバー体の壁面に、前記第１カバー体を前記筐体に組付けるに際して前記軸部を前記軸受け孔に挿入するための取付け用孔部が設けられている、請求項４に記載の電子機器。
【請求項６】
前記第２カバー体が、前記カバーの厚み方向に沿って見た場合に、前記第１カバー体の前記軸受け孔を規定する壁面の少なくとも一部に重なっている、請求項１から５のいずれかに記載の電子機器。
【請求項７】
前記第２カバー体が、前記カバーの厚み方向に沿って見た場合に、前記軸部の少なくとも一部に重なっている、請求項１から６のいずれかに記載の電子機器。
【請求項８】
前記第２カバー体が、前記カバーの厚み方向および前記回動軸が延びる方向の双方に直交する方向に沿って見た場合に、前記第１カバー体の前記軸受け孔を規定する壁面の少なくとも一部に重なっている、請求項１から７のいずれかに記載の電子機器。
【請求項９】
前記第２カバー体が、前記カバーの厚み方向および前記回動軸が延びる方向の双方に直交する方向に沿って見た場合に、前記軸部の少なくとも一部に重なっている、請求項１から８のいずれかに記載の電子機器。
【請求項１０】
前記筐体に、前記軸部が一対設けられ、
前記カバーに、前記軸受け孔が一対設けられている、請求項１から９のいずれかに記載の電子機器。
【発明の詳細な説明】
【技術分野】
【０００１】
本開示は、カバーが回動可能に筐体に組付けられてなる電子機器に関し、特に、外部に向けて発光部が露出するように設けられた筐体のうちの当該発光部を含む部分が、筐体にカバーが回動可能に組付けられることでカバーの閉状態において当該カバーによって覆われるように構成された電子機器に関する。
【背景技術】
【０００２】
電子機器の一例としてのビルディングブロック型のプログラマブル・ロジック・コントローラ（以下、ＰＬＣと称する）は、複数の単位ユニットが互いに連接するように組み合わされることによって構成される。たとえば、ＰＬＣのリモートターミナル装置においては、１つの通信ユニットに、当該通信ユニットとそれぞれシリアルバスラインおよび単方向通信ラインを介して通信可能な１つまたは複数のＩ／Ｏユニットが連接されることで構成される。
【０００３】
ＰＬＣの単位ユニットの筐体には、必要に応じて開閉可能なカバーが設けられる場合がある。たとえば特開２００７−６６０８５号公報（特許文献１）には、筐体に開閉可能にカバーが設けられてなるＩ／Ｏユニットが開示されている。当該特許文献１に開示されたＩ／Ｏユニットにおいては、カバーの上端および下端の所定位置にヒンジ突部が設けられ、当該ヒンジ突部を回動可能に保持するレール状の凹状部が筐体に設けられている。
【先行技術文献】
【特許文献】
【０００４】
【特許文献１】特開２００７−６６０８５号公報
【発明の概要】
【発明が解決しようとする課題】
【０００５】
一般に、電子機器においては、小型化の要求が強くある。上述したＰＬＣの単位ユニットは、比較的小型の電子機器ではあるものの、さらなる小型化が強く要求されている。そのため、上述したカバーの薄型化が必須となることがある。
【０００６】
一方で、ＰＬＣにおいては、外部に向けて発光部が露出するように設けられた筐体のうちの当該発光部を含む部分が、カバーの閉状態において当該カバーによって覆われるように構成されることがある。その場合には、カバーの一部を透光性の部材にて構成することが必要になり、結果としてカバーを遮光性のカバー体と透光性のカバー体との２部品によって構成する必要が生じる。また、この場合においては、意匠性を向上させる観点から、カバーのおもて面のより大きい面積を透光性のカバー体によって覆うことが好ましい。
【０００７】
しかしながら、遮光性のカバー体と透光性のカバー体との２部品によってカバーを構成する場合には、カバーを筐体に回動可能に組付けるためのヒンジ機構が、これら２部品を組み合わせる上でスペースを圧迫することになり、カバー全体としての薄型化を図る際の障害となり、さらには、透光性のカバー体の大面積化を図る際の大きな障害ともなる。
【０００８】
したがって、本開示は、上述した問題に鑑みてなされたものであり、本開示のある目的は、カバーを全体として薄型化することが可能な電子機器の提供にあり、また、本開示の他のある目的は、カバーを全体として薄型化しつつも透光性のカバー体の大面積化が可能な電子機器の提供にある。
【課題を解決するための手段】
【０００９】
本開示に従ったある態様に係る電子機器は、筐体と、カバーとを備えている。上記筐体には、外部に向けて発光部が露出するように設けられている。上記カバーは、上記筐体に回動可能に組付けられており、閉状態において上記発光部を含む部分の上記筐体を覆うとともに、開状態において上記発光部を含む部分の上記筐体を露出させる。上記筐体は、上記カバーの回動軸を規定する軸部を含んでおり、上記カバーには、上記軸部を取り囲む軸受け孔が設けられている。上記回動軸は、上記カバーの厚み方向と直交する方向に沿って延びるように配置されている。上記カバーは、遮光性の第１カバー体と、透光性の第２カバー体とを含んでいる。上記第１カバー体には、上記閉状態において上記発光部に対向する部分に窓部が設けられており、上記第２カバー体は、上記窓部を覆うように上記カバーの厚み方向に沿って上記第１カバー体に積層された状態で上記第１カバー体に組付けられている。上記軸受け孔は、上記第１カバー体の一部と上記第２カバー体の一部とによって規定されている。
【００１０】
このように、筐体に設けられた軸部が挿入される軸受け孔が第１カバー体の一部と第２カバー体の一部とによって規定されるように構成することにより、これら軸部および軸受け孔からなるヒンジ機構を設ける部分のスペースの有効活用が可能になり、結果として第１カバー体および第２カバー体からなるカバー全体としての薄型化が可能になる。
【００１１】
本開示に従った上記ある態様に係る電子機器にあっては、上記第１カバー体が、上記閉状態において上記第２カバー体よりも上記筐体側に位置していることが好ましい。
【００１２】
このように、閉状態において第１カバー体が第２カバー体よりも筐体側に配置されるように構成することにより、カバー全体としての薄型化に加え、透光性の第２カバー体の大面積化が可能になる。
【００１３】
本開示に従った上記ある態様に係る電子機器にあっては、上記第１カバー体のうち、上記閉状態において上記筐体側に位置するうら面とは反対側に位置するおもて面に凹部が設けられていてもよく、上記凹部を規定する部分の上記第１カバー体の壁面に、上記軸受け孔に通じる開口部が設けられていてもよい。その場合には、上記第２カバー体が、上記凹部に収容されることにより、上記開口部を覆うことで上記軸受け孔の一部を規定していることが好ましい。
【００１４】
このように構成することにより、第１カバー体のおもて面に設けられた凹部に第２カバー体を収容することでカバー全体としての薄型化を図りつつ、当該凹部の壁面に設けられた開口部を第２カバー体で覆うことでヒンジ機構を設ける部分のスペースの有効活用を図ることが可能になる。
【００１５】
本開示に従った上記ある態様に係る電子機器にあっては、上記カバーの回動範囲内のいずれの位置に当該カバーが配置された状態においても、上記軸部と、当該軸部に対向する部分の上記筐体の壁面とによって挟まれることにより、上記カバーが当該カバーの回動範囲内において脱落することを防止する抜け止め部が、上記軸部を取り囲むように延びる部分の上記第１カバー体によって構成されていることが好ましい。
【００１６】
このように構成することにより、カバー体が筐体から脱落することを未然に防止することができる。さらには、万が一、第２カバー体が第１カバー体から外れた場合にも、第１カバー体が筐体から脱落することが防止できるため、その場合の修理が非常に容易に行なえることになる。
【００１７】
本開示に従った上記ある態様に係る電子機器にあっては、上記回動軸が延びる方向において上記抜け止め部に隣り合う部分の上記第１カバー体の壁面に、上記第１カバー体を上記筐体に組付けるに際して上記軸部を上記軸受け孔に挿入するための取付け用孔部が設けられていることが好ましい。
【００１８】
このように構成することにより、抜け止め部に隣接して取付け用孔部が位置しているため抜け止め部の厚みが薄くなり、当該抜け止め部を含む部分の第１カバー体を容易に弾性変形させることが可能になる。したがって、第１カバー体を筐体に組付けるに際して、筐体に設けられた軸部を第１カバー体に設けられた軸受け孔に容易に挿入することが可能になる。
【００１９】
本開示に従った上記ある態様に係る電子機器にあっては、上記第２カバー体が、上記カバーの厚み方向に沿って見た場合に、上記第１カバー体の上記軸受け孔を規定する壁面の少なくとも一部に重なっていてもよい。
【００２０】
このように構成することにより、特に第１カバー体のおもて面と平行な方向においてヒンジ機構を設ける部分のスペースの有効活用が可能になり、結果として透光性の第２カバー体の大面積化が実現できることになる。
【００２１】
本開示に従った上記ある態様に係る電子機器にあっては、上記第２カバー体が、上記カバーの厚み方向に沿って見た場合に、上記軸部の少なくとも一部に重なっていてもよい。
【００２２】
このように構成することにより、さらに第１カバー体のおもて面と平行な方向においてヒンジ機構を設ける部分のスペースの有効活用が可能になり、結果として透光性の第２カバー体のさらなる大面積化が実現できることになる。
【００２３】
本開示に従った上記ある態様に係る電子機器にあっては、上記第２カバー体が、上記カバーの厚み方向および上記回動軸が延びる方向の双方に直交する方向に沿って見た場合に、上記第１カバー体の上記軸受け孔を規定する壁面の少なくとも一部に重なっていてもよい。
【００２４】
このように構成することにより、特にカバーの厚み方向においてヒンジ機構を設ける部分のスペースの有効活用が可能になり、結果としてカバー全体としての薄型化が実現できることになる。
【００２５】
本開示に従った上記ある態様に係る電子機器にあっては、上記第２カバー体が、上記カバーの厚み方向および上記回動軸が延びる方向の双方に直交する方向に沿って見た場合に、上記軸部の少なくとも一部に重なっていてもよい。
【００２６】
このように構成することにより、さらにカバーの厚み方向においてヒンジ機構を設ける部分のスペースの有効活用が可能になり、結果としてカバー全体としてのさらなる薄型化が実現できることになる。
【００２７】
本開示に従った上記ある態様に係る電子機器にあっては、上記筐体に、上記軸部が一対設けられていてもよく、また、上記カバーに、上記軸受け孔が一対設けられていてもよい。
【００２８】
このように、各々が軸部および軸受け孔からなる一対のヒンジ機構の双方に上述した構成を適用することにより、カバー全体としての薄型化が可能になり、ひいては、カバー全体としての薄型化および透光性の第２カバー体の大面積化が可能になる。
【発明の効果】
【００２９】
本開示のある局面に従えば、カバー全体としての薄型化が図られた電子機器の提供が可能になり、本開示の他の局面に従えば、カバー全体として薄型化および透光性のカバー体の大面積化が図られた電子機器の提供が可能になる。
【図面の簡単な説明】
【００３０】
【図１】実施の形態に係る通信ユニットのフロントカバーの閉状態における斜視図である。
【図２】図１に示す通信ユニットのフロントカバーの開状態における斜視図である。
【図３】図１に示す通信ユニットの筐体へのフロントカバーの組付構造を示す分解斜視図である。
【図４】図１に示す通信ユニットのフロントカバーの閉状態における正面図である。
【図５】図１に示す通信ユニットの本体カバーと透光カバーとの組付構造を示す分解斜視図である。
【図６】図１に示す通信ユニットのフロントパネルの表示操作部の斜視図である。
【図７】図１に示す通信ユニットのフロントカバーの斜視図である。
【図８】図１に示す通信ユニットのフロントパネルおよびフロントカバーに設けられたヒンジ機構を含む部分の模式断面図である。
【図９】図１に示す通信ユニットのフロントパネルおよびフロントカバーに設けられたストッパ機構を含む部分の模式断面図である。
【図１０】図１に示す通信ユニットのフロントパネルおよびフロントカバーに設けられた第２ロック機構を含む部分の模式断面図である。
【図１１】図８に示すフロントカバーの領域ＸＩの拡大断面図である。
【図１２】第１ないし第３変形例に係るフロントパネルの要部の拡大断面図である。
【発明を実施するための形態】
【００３１】
以下、実施の形態について、図を参照して詳細に説明する。以下に示す実施の形態は、本開示を電子機器としてのＰＬＣのリモートターミナル装置の通信ユニットに適用した場合を例示するものである。なお、以下に示す実施の形態においては、同一のまたは共通する部分について図中同一の符号を付し、その説明は繰り返さない。
【００３２】
＜Ａ．全体構成＞
図１は、実施の形態に係る通信ユニットのフロントカバーの閉状態における斜視図であり、図２は、図１に示す通信ユニットのフロントカバーの開状態における斜視図である。また、図３は、図１に示す通信ユニットの筐体へのフロントカバーの組付構造を示す分解斜視図であり、図４は、図１に示す通信ユニットの閉状態における正面図である。まず、これら図１ないし図４を参照して、本実施の形態に係る通信ユニット１の全体構成について説明する。
【００３３】
図１および図２に示すように、通信ユニット１は、略直方体形状を有しており、各種の電子部品が収容された筐体２を備えている。筐体２は、箱状の本体ケーシング１０と、本体ケーシング１０の前面を覆うように当該本体ケーシング１０に固定されたフロントパネル２０とを含んでいる。
【００３４】
ここで、筐体２の前後方向にＸ軸をとり、筐体２の左右方向にＹ軸をとり、筐体２の上下方向にＺ軸をとり、以降の説明においては、必要に応じてこれらＸ軸、Ｙ軸およびＺ軸を用いて説明を行なう。なお、Ｘ軸に沿った方向である後向きおよび前向きの方向を、それぞれ図中において示すＸ１方向およびＸ２方向と定義し、Ｙ軸に沿った方向である右向きおよび左向きの方向を、それぞれ図中において示すＹ１方向およびＹ２方向と定義し、Ｚ軸に沿った方向である上向きおよび下向きの方向を、それぞれ図中において示すＺ１方向およびＺ２方向と定義する。
【００３５】
本体ケーシング１０の背面には、設置用凹部１１が設けられている。設置用凹部１１は、通信ユニット１をＤＩＮ（ドイツ工業規格）レールに固定する際に、当該ＤＩＮレールを受け入れる部位であり、当該設置用凹部１１には、通信ユニット１を固定するための固定部材が設けられている。ここでは、その説明は省略するが、当該固定部材は、ＤＩＮレールに対して着脱自在に構成されており、通信ユニット１をＤＩＮレールに固定した状態において、当該ＤＩＮレールを保持する。
【００３６】
フロントパネル２０は、端子接続部２１と、表示操作部２２とを有している。端子接続部２１は、通信ユニット１の左前部に位置しており、表示操作部２２は、通信ユニット１の右前部に位置している。端子接続部２１は、通信ユニット１を各種の外部ユニットと接続するための接続ケーブルの接続端子が接続される部位であり、本実施の形態に係る通信ユニット１においては、上下方向（すなわちＺ軸方向）に沿って３つのポートが設けられている。また、表示操作部２２は、通信ユニット１に関係する表示を行なったり、使用者の操作を受け付けたりするための部位である。
【００３７】
図１および図２に示すように、通信ユニット１は、上述した本体ケーシング１０およびフロントパネル２０からなる筐体２に加え、フロントカバー３０を備えている。フロントカバー３０は、閉状態において表示操作部２２を覆うとともに、開状態において表示操作部２２を露出させるように、後述するヒンジ機構を介してフロントパネル２０に回動可能に組付けられている。
【００３８】
ここで、フロントカバー３０は、上下方向（すなわちＺ軸方向）に沿って延びる回動軸Ｏを表示操作部２２の左側前端部上に有しており、当該回動軸Ｏを回転中心として図２中に示す矢印Ａ方向に沿って回動可能に構成されている。これにより、通信ユニット１は、図１に示すフロントカバー３０の閉状態と、図２に示すフロントカバー３０の開状態とをとることができる。なお、フロントカバー３０のフロントパネル２０に対する組付構造の詳細については、後述することとする。
【００３９】
図２に示すように、閉状態においてフロントカバー３０によって覆われることとなる表示操作部２２の主面２２ａには、複数の発光部１２と、第１操作部１３ａおよび第２操作部１３ｂと、メディア挿入部１４とが露出して位置している。これら複数の発光部１２、第１操作部１３ａ、第２操作部１３ｂおよびメディア挿入部１４は、いずれも筐体２の内部に収容された配線基板上に実装されており、フロントカバー３０に設けられた欠除部を介して筐体２の外部に露出するように位置している。
【００４０】
このうち、複数の発光部１２は、上下方向（すなわちＺ軸方向）に沿って並ぶように点列状に配置されている。これら複数の発光部１２は、閉状態において当該複数の発光部１２に対向する部分のフロントカバー３０と相まって、本実施の形態に係る通信ユニット１を含んで構成されるリモートターミナル装置における各種の情報（通電の有無、エラーの有無、Ｉ／Ｏユニットとの通信状態等）を使用者に報知するための表示部３（図４参照）を構成している。
【００４１】
第１操作部１３ａおよび第２操作部１３ｂは、ディップスイッチやプッシュスイッチ等にて構成されており、通信ユニット１における各種の設定等に使用される。また、メディア挿入部１４は、たとえばＳＤカード等の各種のメディアを挿入するためのスロットである。
【００４２】
図１ないし図４に示すように、フロントカバー３０は、第１カバー体としての遮光性の本体カバー３０Ａと、第２カバー体としての透光性の透光カバー３０Ｂとを含んでいる。本体カバー３０Ａは、たとえばポリカーボネート樹脂、ＡＢＳ（アクリロニトリル・ブタジエン・スチレン共重合体）樹脂等の樹脂製の部材によって構成され、透光カバー３０Ｂは、アクリル樹脂、ポリカーボネート樹脂等の樹脂製の部材によって構成される。
【００４３】
本体カバー３０Ａは、フロントカバー３０の閉状態における左右方向（すなわちＹ軸方向）の寸法が上下方向（すなわちＺ軸方向）の寸法よりも小さい薄板状の形状を有している。本体カバー３０Ａは、閉状態においてＸ軸方向に相対して位置することとなるおもて面３０ａおよびうら面３０ｂ（図３参照）を含んでいる。おもて面３０ａは、閉状態において外部に露出して位置する面であり、うら面３０ｂは、閉状態において筐体２側（すなわち、フロントパネル２０の表示操作部２２の主面２２ａ側）に位置する面である。
【００４４】
透光カバー３０Ｂも、本体カバー３０Ａと同様に、フロントカバー３０の閉状態における左右方向（すなわちＹ軸方向）の寸法が上下方向（すなわちＺ軸方向）の寸法よりも小さい薄板状の形状を有している。ここで、透光カバー３０Ｂの上記左右方向の寸法は、本体カバー３０Ａの上記左右方向の寸法よりも小さい。
【００４５】
本体カバー３０Ａは、おもて面３０ａの所定位置に凹部３５を有している。当該凹部３５は、本体カバー３０Ａの上下方向（すなわちＺ軸方向）に沿って延びる溝形状を有している。この凹部３５には、透光カバー３０Ｂが収容されることで組付けられている。
【００４６】
これにより、透光カバー３０Ｂは、フロントカバー３０の厚み方向（すなわち、閉状態におけるＸ軸方向）に沿って本体カバー３０Ａに積層された状態で当該本体カバー３０Ａに組付けられることになり、本体カバー３０Ａは、フロントカバー３０の閉状態において透光カバー３０Ｂよりも筐体２側（すなわち、フロントパネル２０側）に位置することになる。なお、本体カバー３０Ａと透光カバー３０Ｂとの組付構造の詳細については、後述することとする。
【００４７】
本体カバー３０Ａのうち、フロントカバー３０の閉状態において上述した複数の発光部１２に対向する部分には、窓部３０ｃが設けられている。窓部３０ｃは、複数の発光部１２から出射された光を通過させるための部位である。本実施の形態においては、窓部３０ｃは、複数の発光部１２のレイアウトに合わせて上下方向（すなわちＺ軸方向）に沿って延びるスリット状に形成されている。
【００４８】
本体カバー３０Ａに設けられた窓部３０ｃは、上述したように本体カバー３０Ａと透光カバー３０Ｂとがフロントカバー３０の厚み方向に沿って積層されることにより、透光カバー３０Ｂによって覆われている。これにより、複数の発光部１２から出射されて窓部３０ｃを通過した光は、透光カバー３０Ｂを介して外部に向けて投光されることになる。この透光カバー３０Ｂの窓部３０ｃに対向する部分において、上述した表示部３が構成されることになる。
【００４９】
ここで、図４に示すように、本実施の形態においては、透光カバー３０Ｂのうちの窓部３０ｃに対向する部分を除く部分に塗装層が設けられており、これにより化粧部３０ｄが形成されている。当該化粧部３０ｄは、窓部３０ｃを除く部分の本体カバー３０Ａが外部から視認できないように目隠しすることで通信ユニット１の意匠性を向上させるためのものである。なお、当該化粧部３０ｄには、図示するように複数の発光部１２の各々に対応してインデックスが表記されている。
【００５０】
以上において説明した通信ユニット１においては、フロントカバー３０の閉状態において、当該通信ユニット１の動作状態等が表示部３において表示されることになり、使用者はこれを外部から視認することができ、フロントカバー３０の開状態において、使用者は当該通信ユニット１に対する各種の操作を行なうことができる。なお、フロントカバー３０の開閉操作は、使用者が当該フロントカバー３０を手で持って回動させることで行なわれる。
【００５１】
＜Ｂ．本体カバーと透光カバーとの組付構造＞
図５は、図１に示す通信ユニットの本体カバーと透光カバーとの組付構造を示す分解斜視図である。次に、この図５を参照して、本実施の形態に係る通信ユニット１における本体カバー３０Ａと透光カバー３０Ｂとの組付構造について詳説する。なお、図５（Ａ）および図５（Ｂ）は、本体カバー３０Ａおよび透光カバー３０Ｂを前方側の異なる角度から見た分解斜視図である。
【００５２】
図５に示すように、本体カバー３０Ａのおもて面３０ａに設けられた凹部３５には、一対の第３係止部３６ａおよび一対の第４係止部３７ａが設けられている。これら一対の第３係止部３６ａおよび一対の第４係止部３７ａは、凹部３５を規定する本体カバー３０Ａの壁面に切り欠きが設けられることによって構成されており、一対の第３係止部３６ａは、凹部３５の右側に位置する側面に上下方向（すなわちＺ軸方向）に沿って並んで設けられており、一対の第４係止部３７ａは、凹部３５の左側に位置する側面に上下方向（すなわちＺ軸方向）に沿って並んで設けられている。
【００５３】
一方、透光カバー３０Ｂの側面には、上述した本体カバー３０Ａに設けられた一対の第３係止部３６ａおよび一対の第４係止部３７ａにそれぞれ係合する一対の第３被係止部３６ｂおよび一対の第４被係止部３７ｂが設けられている。これら一対の第３被係止部３６ｂおよび一対の第４被係止部３７ｂは、透光カバー３０Ｂの側面から突出するように設けられた突片にて構成されており、一対の第３被係止部３６ｂは、透光カバー３０Ｂの右側に位置する側面に上下方向（すなわちＺ軸方向）に沿って並んで設けられており、一対の第４被係止部３７ｂは、透光カバー３０Ｂの左側に位置する側面に上下方向（すなわちＺ軸方向）に沿って並んで設けられている。
【００５４】
したがって、本体カバー３０Ａに透光カバー３０Ｂを組付けるに際しては、本体カバー３０Ａの凹部３５に透光カバー３０Ｂを前方から嵌め込むことで行なえる。具体的には、一対の第３被係止部３６ｂおよび一対の第４被係止部３７ｂのうちの一方を、まず対応する一対の第３係止部３６ａおよび一対の第４係止部３７ａの一方に挿し込み、その後、一対の第３被係止部３６ｂおよび一対の第４被係止部３７ｂのうちの他方を、対応する一対の第３係止部３６ａおよび一対の第４係止部３７ａの他方に挿し込む。これにより、本体カバー３０Ａが弾性的に変形することにより、一対の第３被係止部３６ｂが一対の第３係止部３６ａによって係止されるとともに、一対の第４被係止部３７ｂが一対の第４係止部３７ａによって係止されることになり、これによって透光カバー３０Ｂが本体カバー３０Ａに組付けられることになる。
【００５５】
＜Ｃ．フロントカバーのフロントパネルへの組付構造＞
図６は、図１に示す通信ユニットのフロントパネルの表示操作部の斜視図であり、図７は、図１に示す通信ユニットのフロントカバーの斜視図である。次に、これら図６および図７と前述の図５とを参照して、本実施の形態に係る通信ユニット１におけるフロントカバー３０のフロントパネル２０への組付構造について詳説する。
【００５６】
図６に示すように、フロントパネル２０の表示操作部２２の主面２２ａには、上述した複数の発光部１２、第１操作部１３ａ、第２操作部１３ｂおよびメディア挿入部１４に加え、一対の取付け部２３、一対のストッパ２４、一対の第２係止部２５および一対の第１係止部２６が設けられている。
【００５７】
一対の取付け部２３は、表示操作部２２の左前部に上下方向（すなわちＺ軸方向）に沿って並んで配置されている。一対の取付け部２３のうちの一方である、表示操作部２２の左前部の上端部に設けられた取付け部は、表示操作部２２の主面２２ａから前方（すなわちＸ２方向）に向けて突出するとともに、その先端がさらに上方（すなわちＺ１方向）向けて延出する側面視Ｌ字状の形状を有している。一対の取付け部２３のうちの他方である、表示操作部２２の左前部の下端部に設けられた取付け部は、表示操作部２２の主面２２ａから前方（すなわちＸ２方向）に向けて突出するとともに、その先端がさらに下方（すなわちＺ２方向）向けて延出する側面視Ｌ字状の形状を有している。
【００５８】
一対の取付け部２３の各々の上下方向に延びる先端は、略円柱状の形状を有しており、当該部分によって軸部２３ａが構成されている。この軸部２３ａは、フロントカバー３０の回動軸Ｏを規定する部位であり、後述するフロントカバー３０に設けられた一対の軸受け孔３１（図５および図７等参照）と相まってヒンジ機構を構成する。
【００５９】
一対のストッパ２４は、表示操作部２２の左前部のうちの上述した一対の取付け部２３の間の位置に上下方向（すなわちＺ軸方向）に沿って並んで配置されている。一対のストッパ２４は、いずれも表示操作部２２の主面２２ａから前方（すなわちＸ２方向）に向けて突出する突条形状を有している。これら一対のストッパ２４は、後述するフロントカバー３０に設けられた突き当たり部３２（図５および図７等参照）と相まってストッパ機構を構成する。
【００６０】
一対の第２係止部２５は、表示操作部２２の左前部のうちの上述した一対のストッパ２４の間の位置に上下方向（すなわちＺ軸方向）に沿って並んで配置されている。一対の第２係止部２５は、いずれも表示操作部２２の主面２２ａから前方（すなわちＸ２方向）に向けて突出する突条形状を有している。これら一対の第２係止部２５は、後述するフロントカバー３０に設けられた第２被係止部３３（図５および図７等参照）と相まって第２ロック機構を構成する。
【００６１】
一対の第１係止部２６は、表示操作部２２の右前部に上下方向（すなわちＺ軸方向）に沿って並んで配置されている。一対の第１係止部２６は、いずれも表示操作部２２の主面２２ａから前方（すなわちＸ２方向）に向けて突出するフック形状を有している。これら一対の第１係止部２６は、後述するフロントカバー３０に設けられた第１被係止部３４と相まって第１ロック機構を構成する。
【００６２】
一方、図５および図７に示すように、フロントカバー３０には、上述した窓部３０ｃに加え、一対の軸受け孔３１、一対の突き当たり部３２、一対の第２被係止部３３および一対の第１被係止部３４が設けられている。
【００６３】
一対の軸受け孔３１は、フロントカバー３０の閉状態における左端部に上下方向（すなわちＺ軸方向）に沿って対向するように配置されている。一対の軸受け孔３１は、上下方向（すなわちＺ軸方向）に沿って延びる略円柱状の孔部からなる。一対の軸受け孔３１は、上述したフロントパネル２０の表示操作部２２に設けられた一対の取付け部２３の軸部２３ａをそれぞれ受け入れることにより、当該軸部２３ａを取り囲むことができる。この一対の軸受け孔３１は、上述した一対の軸部２３ａと相まってヒンジ機構を構成する。
【００６４】
一対の突き当たり部３２は、フロントカバー３０の閉状態における左端部のうちの上述した一対の軸受け孔３１の間の位置に上下方向（すなわちＺ軸方向）に沿って並んで配置されている。一対の突き当たり部３２は、フロントカバー３０の閉状態における左端部に切り欠きを設けることにより、所定の突き当たり面を有するように構成されている。一対の突き当たり部３２は、上述した一対のストッパ２４と相まってストッパ機構を構成するものであり、フロントカバー３０の開状態において当該一対のストッパ２４に当接することにより、フロントカバー３０の回動を制限することができる。
【００６５】
一対の第２被係止部３３は、フロントカバー３０の閉状態における左端部のうちの上述した一対の突き当たり部３２の間の位置に上下方向（すなわちＺ軸方向）に沿って並んで配置されている。一対の第２被係止部３３は、フロントカバー３０の閉状態における左端部に切り欠きを設けることにより、その頂面に溝形状の凹状部が設けられてなる突条形状の部位にて構成されている。一対の第２被係止部３３は、上述した一対の第２係止部２５と相まって第２ロック機構を構成するものであり、フロントカバー３０の開状態において当該一対の第２被係止部３３の頂面に設けられた溝形状の凹状部がそれぞれ一対の第２係止部２５を受け入れることにより、フロントカバー３０を軽保持することができる。
【００６６】
一対の第１被係止部３４は、フロントカバー３０の閉状態における右端部に上下方向（すなわちＺ軸方向）に沿って並んで配置されている。一対の第１被係止部３４は、フロントカバー３０の閉状態における右端部に所定形状の突片が設けられることによって構成されている。一対の第１被係止部３４は、上述した一対の第１係止部２６と相まって第１ロック機構を構成するものであり、フロントカバー３０の閉状態において当該一対の第１係止部２６と係合することにより、フロントカバー３０を軽保持することができる。
【００６７】
また、図５および図７に示すように、フロントカバー３０の閉状態における左端部のうちの上述した一対の軸受け孔３１が設けられた位置に隣接して、フロントカバー３０には、一対の取付け用孔部３８が設けられている。この一対の取付け用孔部３８は、一対の軸受け孔３１に通じており、フロントカバー３０をフロントパネル２０に組付ける際に利用される。
【００６８】
すなわち、当該一対の取付け用孔部３８を介して一対の軸受け孔３１に一対の軸部２３ａをそれぞれ挿し込むことにより、フロントパネル２０にフロントカバー３０を組付けることができる。より具体的には、まず、一対の軸部２３ａのうちの一方を、一対の軸受け孔３１のうちの対応する一方に、当該一対の軸受け孔３１の一方に対応して設けられた取付け用孔部３８を介して挿し込み、その後、一対の軸部２３ａのうちの他方を、一対の軸受け孔３１のうちの対応する他方に、当該一対の軸受け孔３１の他方に対応して設けられた取付け用孔部３８を介して挿し込む。これにより、本体カバー３０Ａが弾性的に変形することにより、一対の軸部２３ａが一対の軸受け孔３１にそれぞれ挿入されることになり、これによってフロントカバー３０がフロントパネル２０に回動可能に組付けられることになる。
【００６９】
＜Ｄ．フロントカバーの回動動作ならびに軸受け孔の構成＞
図８は、図１に示す通信ユニットのフロントパネルおよびフロントカバーに設けられたヒンジ機構を含む部分の模式断面図であり、図９は、ストッパ機構を含む部分の模式断面図であり、図１０は、第２ロック機構を含む部分の模式断面図である。また、図１１は、図８に示すフロントカバーの領域ＸＩの拡大断面図である。以下、これら図８ないし図１１を参照して、本実施の形態に係る通信ユニット１におけるフロントカバー３０の回動動作および軸受け孔の構成について詳説する。
【００７０】
ここで、図８（Ａ）、図９（Ａ）および図１０（Ａ）は、いずれもフロントカバー３０の閉状態を表わしており、図８（Ｂ）、図９（Ｂ）および図１０（Ｂ）は、いずれもフロントカバー３０の開状態を表わしている。また、これら図８ないし図１０においては、フロントパネル２０の表示操作部２２の近傍に配置された各種の電子部品の図示を省略している。
【００７１】
図８に示すように、フロントパネル２０に設けられた取付け部２３の軸部２３ａは、フロントカバー３０に設けられた軸受け孔３１によって取り囲まれている。ヒンジ機構を構成するこれら軸部２３ａと軸受け孔３１との間には、若干のクリアランスが設けられており、これによりフロントカバー３０は、回動可能に構成されている。
【００７２】
ここで、図１１を参照して、フロントカバー３０に設けられた軸受け孔３１は、本体カバー３０Ａの一部と透光カバー３０Ｂの一部とによって規定されている。より詳細には、軸受け孔３１を規定する周方向の壁面の一部は、本体カバー３０Ａに設けられた略Ｃ字状の壁面によって構成されており、軸受け孔３１を規定する周方向の壁面の残部は、透光カバー３０Ｂに設けられた角形状の壁面によって構成されている。
【００７３】
上記構成は、本体カバー３０Ａのおもて面３０ａに設けられた凹部３５と、本体カバー３０Ａに設けられた軸受け孔３１を規定する部分とが通ずるように構成することにより、容易に実現することができる。すなわち、本体カバー３０Ａのおもて面３０ａに設けられた凹部３５を規定する部分の壁面には、軸受け孔３１に通じる開口部が設けられており、この開口部を覆うように透光カバー３０Ｂが凹部３５に収容されることにより、軸受け孔３１の一部が透光カバー３０Ｂによって規定されることになる。
【００７４】
このように構成することにより、これら軸部２３ａおよび軸受け孔３１からなるヒンジ機構を設ける部分のスペースの有効活用が可能になる。これは、上記構成を採用しなかった場合には、自ずと、透光カバー３０Ｂが収容される凹部３５と、軸部２３ａを受け入れる軸受け孔３１とを、フロントカバー３０の厚み方向に沿って離して配置することが必要になるとともに、本体カバー３０Ａのおもて面３０ａと平行な方向に沿って離して配置することが必要になるためであり、上記構成を採用することにより、結果として本体カバー３０Ａおよび透光カバー３０Ｂからなるフロントカバー３０全体としての薄型化が可能になるとともに、透光カバー３０Ｂの大面積化が実現できることになる。
【００７５】
また、本実施の形態においては、透光カバー３０Ｂが、フロントカバー３０の厚み方向に沿って見た場合に、本体カバー３０Ａの軸受け孔３１を規定する壁面の一部に重なっている。すなわち、図１１に示すように、Ｘ軸方向に沿ってフロントカバー３０を見た場合に、透光カバー３０Ｂの左側端部は、本体カバー３０Ａの軸受け孔３１を規定する壁面のうちの右側端部に重なっている。
【００７６】
このように構成することにより、特に本体カバー３０Ａのおもて面３０ａと平行な方向においてヒンジ機構を設ける部分のスペースの有効活用が可能になり、結果として透光カバー３０Ｂのさらなる大面積化が実現できることになる。
【００７７】
加えて、本実施の形態においては、透光カバー３０Ｂが、フロントカバー３０の厚み方向に沿って見た場合に、軸部２３ａに重なっている。すなわち、図１１に示すように、Ｘ軸方向に沿ってフロントカバー３０を見た場合に、透光カバー３０Ｂの左側端部は、軸部２３ａの右側端部に重なっている。
【００７８】
このように構成することにより、さらに本体カバー３０Ａのおもて面３０ａと平行な方向においてヒンジ機構を設ける部分のスペースの有効活用が可能になり、結果として透光カバー３０Ｂのさらなる大面積化が実現できることになる。
【００７９】
一方で、本実施の形態においては、透光カバー３０Ｂが、フロントカバー３０の厚み方向およびフロントカバー３０の回動軸Ｏが延びる方向の双方に直交する方向（すなわち、本体カバー３０Ａのおもて面３０ａと平行な方向）に沿って見た場合に、本体カバー３０Ａの軸受け孔３１を規定する壁面の一部に重なっている。すなわち、図１１に示すように、Ｙ軸方向に沿って見た場合に、透光カバー３０Ｂの後側端部は、本体カバー３０Ａの軸受け孔３１を規定する壁面のうちの前側端部に重なっている。
【００８０】
このように構成することにより、特にフロントカバー３０の厚み方向においてヒンジ機構を設ける部分のスペースの有効活用が可能になり、結果として本体カバー３０Ａおよび透光カバー３０Ｂからなるフロントカバー３０全体としてのさらなる薄型化が可能になる。
【００８１】
図８（Ａ）、図９（Ａ）および図１０（Ａ）に示すフロントカバー３０の閉状態においては、フロントパネル２０の表示操作部２２の主面２２ａが、フロントカバー３０によって覆われている。この状態においては、フロントパネル２０に設けられた第１係止部２６が、フロントカバー３０に設けられた第１被係止部３４を係止しており、これによりフロントパネル２０の閉状態が軽保持されることになる。
【００８２】
一方で、フロントカバー３０の閉状態においては、図９（Ａ）に示すように、フロントパネル２０に設けられたストッパ２４が、フロントカバー３０に設けられた突き当たり部３２に当接していないとともに、図１０（Ａ）に示すように、フロントパネル２０に設けられた第２係止部２５が、フロントカバー３０に設けられた第２被係止部３３によって受け入れられていない。
【００８３】
この状態からフロントカバー３０が前方側に向けて（すなわち、図中に示す矢印Ａ１方向に向けて）回動されることにより、フロントカバー３０は、軸部２３ａによって規定される回動軸Ｏを回転中心として回動し、図８（Ｂ）、図９（Ｂ）および図１０（Ｂ）に示す開状態へと移行する。
【００８４】
図８（Ｂ）、図９（Ｂ）および図１０（Ｂ）に示すフロントカバー３０の開状態においては、フロントパネル２０の表示操作部２２の主面２２ａが、外部に向けて露出することになる。この状態においては、図９（Ｂ）に示すように、フロントパネル２０に設けられたストッパ２４が、フロントカバー３０に設けられた突き当たり部３２に当接しているとともに、図１０（Ｂ）に示すように、フロントパネル２０に設けられた第２係止部２５が、フロントカバー３０に設けられた第２被係止部３３によって受け入れられている。
【００８５】
この突き当たり部３２のストッパ２４に対する当接により、フロントカバー３０は、それ以上の回動を行なうことが制限される。また、このとき、フロントパネル２０に設けられた第２係止部２５が、フロントカバー３０に設けられた第２被係止部３３によって受け入れられることにより、フロントパネル２０の開状態が軽保持されることになる。
【００８６】
なお、この状態からフロントカバー３０を閉状態に移行させるためには、フロントカバー３０が後方側に向けて（すなわち、図中に示す矢印Ａ１方向とは反対側に向けて）回動されることにより、フロントカバー３０が、軸部２３ａによって規定される回動軸Ｏを回転中心として回動することで行なわれる。
【００８７】
ここで、図１１を参照して、本実施の形態における通信ユニット１においては、上述した回動動作の際にフロントカバー３０がフロントパネル２０から脱落してしまうことが、本体カバー３０Ａに設けられた抜け止め部３９によって実現されている。当該抜け止め部３９は、軸受け孔３１を規定する部分の本体カバー３０Ａのうちの、フロントカバー３０の回動範囲に対応した大きさの領域（すなわち、図中に示す領域α）にて構成されている。
【００８８】
より詳細には、抜け止め部３９は、フロントカバー３０の回動範囲内のいずれの位置に当該フロントカバー３０が配置された状態においても、フロントパネル２０に設けられた軸部２３ａと、当該軸部２３ａに対向する部分のフロントパネル２０の表示操作部２２の主面２２ａとによって挟まれることになる部分であり、軸部２３ａを取り囲むように延びる部分の本体カバー３０Ａによって構成されている。
【００８９】
このように構成することにより、フロントカバー３０がフロントパネル２０から脱落することが未然に防止できることになる。さらには、万が一、透光カバー３０Ｂが本体カバー３０Ａから外れた場合にも、本体カバー３０Ａがフロントパネル２０から脱落することが防止できるため、その場合の修理が非常に容易に行なえることになる。
【００９０】
なお、フロントカバー３０をフロントパネル２０に組付けるに際して一対の軸部２３ａを一対の軸受け孔３１にそれぞれ挿入するための上述した一対の取付け用孔部３８の各々は、フロントカバー３０の回動軸Ｏが延びる方向において上述した抜け止め部３９に隣り合う部分の本体カバー３０Ａの壁面に設けられている。
【００９１】
このように構成することにより、抜け止め部３９に隣接して取付け用孔部３８が位置しているため、結果として抜け止め部３９の厚みが薄くなり、当該抜け止め部３９を含む部分の本体カバー３０Ａが容易に弾性変形することになる。したがって、フロントカバー３０をフロントパネル２０に組付けるに際して、フロントパネル２０に設けられた軸部２３ａをフロントカバー３０に設けられた軸受け孔３１に容易に挿入することが可能になる。
【００９２】
＜Ｅ．小括＞
以上において説明したように、本実施の形態に係る通信ユニット１とすることにより、フロントカバー３０を遮光性の本体カバー３０Ａと透光性の透光カバー３０Ｂとによって構成する場合にも、ヒンジ機構を設ける部分のスペースの有効活用が可能になり、フロントカバー３０全体としての薄型化が可能になり、ひいては、フロントカバー３０全体としての薄型化と、表示部３を構成するとともに意匠性を向上させるための透光カバー３０Ｂの大面積化とを両立させることが可能になる。
【００９３】
＜Ｆ．変形例＞
図１２は、上述した実施の形態に基づいた第１ないし第３変形例に係るフロントパネルの要部の拡大断面図である。以下、この図１２を参照して、第１ないし第３変形例に係るフロントカバー１３０，２３０，３３０について説明する。
【００９４】
図１２（Ａ）に示すように、第１変形例に係るフロントカバー１３０は、上述した実施の形態に係るフロントカバー３０と比較した場合に、透光カバー３０Ｂをさらに左側方（すなわち、図中に示す矢印Ｙ２方向）に向けて延設し、これにより、その左側端部が、本体カバー３０Ａの軸受け孔３１を規定する部分の左側端部におおよそ重なる位置に配置されるようにしたものである。
【００９５】
また、図１２（Ｂ）に示すように、第２変形例に係るフロントカバー１３０は、第１変形例に係るフロントカバー１３０と比較した場合に、透光カバー３０Ｂをさらに左側方（すなわち、図中に示す矢印Ｙ２方向）に向けて延設し、これにより、その左側端部が、本体カバー３０Ａの軸受け孔３１を規定する部分の左側端部をさらに超え、本体カバー３０Ａの左側端部に重なる位置に配置されるようにしたものである。
【００９６】
さらに、図１２（Ｃ）に示すように、第３変形例に係るフロントカバー１３０は、第２変形例に係るフロントカバー２３０と比較した場合に、透光カバー３０Ｂの左側端部をさらに後方（すなわち、図中に示す矢印Ｘ１方向）に向けて延設し、これにより、透光カバー３０Ｂが、フロントカバー３０の厚み方向およびフロントカバー３０の回動軸Ｏが延びる方向の双方に直交する方向（すなわち、本体カバー３０Ａのおもて面３０ａと平行な方向）に沿って見た場合に、軸部２３ａに重なるように構成したものである。
【００９７】
これらいずれの構成を採用した場合にも、上述した実施の形態に係るフロントカバー３０と同様の効果を得ることができ、フロントカバー１３０，２３０，３３０全体としての薄型化が可能になり、ひいては、フロントカバー１３０，２３０，３３０全体としての薄型化と、表示部３を構成するとともに意匠性を向上させるための透光カバー３０Ｂの大面積化とを両立させることが可能になる。
【００９８】
ここで、特に１２（Ｃ）に示す第３変形例に係るフロントカバー３３０の如くの構成を採用した場合には、特にフロントカバー３３０の厚み方向においてヒンジ機構を設ける部分のスペースの有効活用が可能になり、結果として本体カバー３０Ａおよび透光カバー３０Ｂからなるフロントカバー３３０全体としてのさらなる薄型化が可能になる。
【００９９】
＜Ｇ．付記＞
上述した実施の形態および当該実施の形態に基づいた第１ないし第３変形例は、以下のような技術思想を含む。
［構成１］
外部に向けて発光部（１２）が露出するように設けられた筐体（２）と、
前記筐体（２）に回動可能に組付けられ、閉状態において前記発光部（１２）を含む部分の前記筐体（２）を覆うとともに、開状態において前記発光部（１２）を含む部分の前記筐体（２）を露出させるカバー（３０）とを備え、
前記筐体（２）は、前記カバー（３０）の回動軸（Ｏ）を規定する軸部（２３ａ）を含み、
前記カバー（３０）には、前記軸部（２３ａ）を取り囲む軸受け孔（３１）が設けられ、
前記回動軸（Ｏ）は、前記カバー（３０）の厚み方向と直交する方向に沿って延びるように配置され、
前記カバー（３０）は、遮光性の第１カバー体（３０Ａ）と、透光性の第２カバー体（３０Ｂ）とを含み、
前記第１カバー体（３０Ａ）には、前記閉状態において前記発光部（１２）に対向する部分に窓部（３０ｃ）が設けられ、
前記第２カバー体（３０Ｂ）は、前記窓部（３０ｃ）を覆うように前記カバー（３０）の厚み方向に沿って前記第１カバー体（３０Ａ）に積層された状態で前記第１カバー体（３０Ａ）に組付けられ、
前記軸受け孔（３１）が、前記第１カバー体（３０Ａ）の一部と前記第２カバー体（３０Ｂ）の一部とによって規定されている、電子機器。
［構成２］
前記第１カバー体（３０Ａ）が、前記閉状態において前記第２カバー体（３０Ｂ）よりも前記筐体（２）側に位置している、構成１に記載の電子機器。
［構成３］
前記第１カバー体（３０Ａ）のうち、前記閉状態において前記筐体（２）側に位置するうら面（３０ｂ）とは反対側に位置するおもて面（３０ａ）に凹部（３５）が設けられ、
前記凹部（３５）を規定する部分の前記第１カバー体（３０Ａ）の壁面には、前記軸受け孔（３１）に通じる開口部が設けられ、
前記第２カバー体（３０Ｂ）が、前記凹部（３５）に収容されることにより、前記開口部を覆うことで前記軸受け孔（３１）の一部を規定している、構成２に記載の電子機器。
［構成４］
前記カバー（３０）の回動範囲内のいずれの位置に当該カバー（３０）が配置された状態においても、前記軸部（２３ａ）と、当該軸部（２３ａ）に対向する部分の前記筐体（２）の壁面（２２ａ）とによって挟まれることにより、前記カバー（３０）が当該カバー（３０）の回動範囲内において脱落することを防止する抜け止め部（３９）が、前記軸部（２３ａ）を取り囲むように延びる部分の前記第１カバー体（３０Ａ）によって構成されている、構成１から３のいずれかに記載の電子機器。
［構成５］
前記回動軸（Ｏ）が延びる方向において前記抜け止め部（３９）に隣り合う部分の前記第１カバー体（３０Ａ）の壁面に、前記第１カバー体（３０Ａ）を前記筐体（２）に組付けるに際して前記軸部（２３ａ）を前記軸受け孔（３１）に挿入するための取付け用孔部（３８）が設けられている、構成４に記載の電子機器。
［構成６］
前記第２カバー体（３０Ｂ）が、前記カバー（３０）の厚み方向に沿って見た場合に、前記第１カバー体（３０Ａ）の前記軸受け孔（３１）を規定する壁面の少なくとも一部に重なっている、構成１から５のいずれかに記載の電子機器。
［構成７］
前記第２カバー体（３０Ｂ）が、前記カバー（３０）の厚み方向に沿って見た場合に、前記軸部（２３ａ）の少なくとも一部に重なっている、構成１から６のいずれかに記載の電子機器。
［構成８］
前記第２カバー体（３０Ｂ）が、前記カバー（３０）の厚み方向および前記回動軸（Ｏ）が延びる方向の双方に直交する方向に沿って見た場合に、前記第１カバー体（３０Ａ）の前記軸受け孔（３１）を規定する壁面の少なくとも一部に重なっている、構成１から７のいずれかに記載の電子機器。
［構成９］
前記第２カバー体（３０Ｂ）が、前記カバー（３０）の厚み方向および前記回動軸（Ｏ）が延びる方向の双方に直交する方向に沿って見た場合に、前記軸部（２３ａ）の少なくとも一部に重なっている、構成１から８のいずれかに記載の電子機器。
［構成１０］
前記筐体（２）に、前記軸部（２３ａ）が一対設けられ、
前記カバー（３０）に、前記軸受け孔（３１）が一対設けられている、構成１から９のいずれかに記載の電子機器。
【０１００】
＜Ｈ．その他＞
上述した実施の形態および当該実施の形態に基づいた第１ないし第３変形例においては、筐体の前面にカバーが設けられてなる場合を例示して説明を行なったが、カバーが設けられる位置は何ら限定されるものではなく、その位置は任意に設定することができる。
【０１０１】
また、上述した実施の形態および当該実施の形態に基づいた第１ないし第３変形例においては、本開示をＰＬＣのリモートターミナル装置の通信ユニットに適用した場合を例示して説明を行なったが、本開示の適用対象はこれに限定されるものではなく、各種の電子機器にその適用ができる。
【０１０２】
また、上述した実施の形態および当該実施の形態に基づいた第１ないし第３変形例において示した特徴的な構成は、本発明の趣旨を逸脱しない範囲において相互に組み合わせることができる。
【０１０３】
このように、今回開示した上記実施の形態およびその変形例はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【０１０４】
１  通信ユニット、２  筐体、３  表示部、１０  本体ケーシング、１１  設置用凹部、１２  発光部、１３ａ  第１操作部、１３ｂ  第２操作部、１４  メディア挿入部、２０  フロントパネル、２１  端子接続部、２２  表示操作部、２２ａ  主面、２３  取付け部、２３ａ  軸部、２４  ストッパ、２５  第２係止部、２６  第１係止部、３０，１３０，２３０，３３０  フロントカバー、３０Ａ  本体カバー、３０Ｂ  透光カバー、３０ａ  おもて面、３０ｂ  うら面、３０ｃ  窓部、３０ｄ  化粧部、３１  軸受け孔、３２  突き当たり部、３３  第２被係止部、３４  第１被係止部、３５  凹部、３６ａ  第３係止部、３６ｂ  第３被係止部、３７ａ  第４係止部、３７ｂ  第４被係止部、３８  取付け用孔部、３９  抜け止め部、Ｏ  回動軸。
【図１】
2019134079.tif 000003
【図２】
2019134079.tif 000004
【図３】
2019134079.tif 000005
【図４】
2019134079.tif 000006
【図５】
2019134079.tif 000007
【図６】
2019134079.tif 000008
【図７】
2019134079.tif 000009
【図８】
2019134079.tif 000010
【図９】
2019134079.tif 000011
【図１０】
2019134079.tif 000012
【図１１】
2019134079.tif 000013
【図１２】
2019134079.tif 000014